(57)【要約】      （修正有）【課題】折丁の歪みや破れの発生のないチョッパー折装置を提供する。【解決手段】紙当て３７と、チョッパーブレード３２と、折丁減速手段と、を備えている。紙当て３７は連続走行する複数条の折丁搬送ベルト１１によって搬送された折丁の先端部を当てて搬送を停止するものである。チョッパーブレード３２は搬送停止された折丁を搬送方向と平行に折丁を折るものである。折丁減速手段は、図示しない折丁押さえブラシとスチールガイドで構成され、前記紙当て３７に折丁を当てる際に搬送中の折丁に接触して折丁を減速するものである。前記折丁押さえブラシ３４及びスチールガイド３５がチョッパーブレード３２を中心として、折丁の搬送方向３８と直交する方向にこの順に備えられている。【選択図】図７
2015131723.tif 000002
【特許請求の範囲】
【請求項１】
巻紙輪転印刷機に連結された折機または単独の折機に設けられたチョッパー折装置であって、
紙当てと、チョッパーブレードと、折丁減速手段と、を備え、
紙当ては搬送された折丁の先端部を当てて折丁を停止させてその位置を規制するもので
チョッパーブレードは搬送が停止された折丁を搬送方向と平行に折丁を折るもので、
折丁減速手段は、折丁押さえブラシとスチールガイドで構成され、前記紙当てに折丁を当てる際に搬送中の折丁に接触して折丁を減速するもので、
チョッパーブレードを中心として、折丁の搬送方向と直交する方向に前記折丁押さえブラシ、スチールガイドが備えられたことを特徴とするチョッパー折装置。
【請求項２】
前記チョッパーブレードを中心として、前記折丁押さえブラシ、前記スチールガイドがこの順に配列されたことを特徴とする請求項１に記載のチョッパー折装置。
【請求項３】
前記折丁押さえブラシは、上下方向に昇降する機構を備えたことを特徴とする請求項１又は２に記載のチョッパー折装置。
【請求項４】
前記折丁押さえブラシは、水平方向に移動する機構を備えたことを特徴とする請求項１から３のいずれかに記載のチョッパー折装置。
【請求項５】
前記スチールガイドは、上下方向に昇降する機構を備えたことを特徴とする請求項１から４のいずれかに記載のチョッパー折装置。
【請求項６】
前記スチールガイドは、水平方向に移動する機構を備えたことを特徴とする請求項１から５のいずれかに記載のチョッパー折装置。
【発明の詳細な説明】
【技術分野】
【０００１】
本発明は、オフセット輪転機のような巻紙輪転印刷機に連結された折機、または単独の折機、に設けられたチョッパー折装置に関するものである。
【背景技術】
【０００２】
図１は折機の一例を示す構成図である。巻紙輪転印刷機は一般にその後部に折機が連結されており、折機では巻紙（ウエブ）１をフォーマー２で幅方向に半折りし、断裁胴３で所定寸法に断裁された折丁は折り胴４と咥胴５の間で折られる。この時４ページ折りとなり、表裏で８ページとなる。咥胴５で咥えられた折丁は一回転する前に該咥胴から離れ折丁搬送ベルト１１で上下を挟まれて水平方向に進み、チョッパー折装置１０へ運ばれる。チョッパー折装置１０は、折丁搬送ベルト１１、チョッパーブレード１２、ニップローラ１３、羽根車１５、等より構成されている。
【０００３】
図２はチョッパー折装置の構成を示す斜視図で、図３は図２に示される矢印１００の方向から見た側面図である。チョッパー折装置１０は、プレート１６上に折丁を上下に挟んで図の左から右へ連続走行する複数条の折丁搬送ベルト１１があり、前記プレートの折丁走行端近くには、折丁を停止させる紙当て１７がある。尚、符号２４は折丁押さえブラシを示す。
【０００４】
折機のフレームに軸支されたチョッパー揺動軸１８には、チョッパーアーム１９が取り付けられその端部にはその揺動方式により異なるが薄いチョッパーブレード１２が取り付けられている。折丁の紙当て１７への到達タイミングに合わせてチョッパーブレード１２を降ろし、折丁を叩き紙当て１７に対し直角に折り、プレートのブレード降下近辺に設けられた開口部２０（図３）を通ってその下方に設けられた上部ニップローラ２１で下方に押し込まれ、更にその下方に設けられた下部ニップローラ２２により折り目がつくように咥え込まれた後、矢印２７で示す方向に押し出される。これら上下のニップローラを通過した折り丁はガイドベルトとガイド（図示せず）に案内されて下部にある羽根車１５（図１）に一部ずつ投入され、羽根車１５の回転により搬送された後排出コンベア２５に送り出される。
【先行技術文献】
【特許文献】
【０００５】
【特許文献１】特開平５−２７０７３１号公報
【特許文献２】特開平６−２３４４６３号公報
【特許文献３】実開平７−８３６４号公報
【発明の概要】
【発明が解決しようとする課題】
【０００６】
しかしながら、このような従来のチョッパー折装置においては、機械の高速化に伴い、正確な直角折をすることが困難となっている。すなわち、前工程の折胴より折丁の紙当て部まで、ねじれや、遅れがないように正確に搬送し折丁を正しく紙当てに当てることが困難となるため、直角に折れず、また強く当たりすぎると破れや、跳ね返りの原因になるため、不良製品の増加、生産性の低下を生ずる欠点があった。
【０００７】
前記折丁にブレーキをかける（減速させる）方法としては、折丁押さえブラシを用いる方法と、スチールガイドを用いる方法が採用されている。
【０００８】
図４は前記折丁押さえブラシを用いた場合を示す上面図で、図４では折丁押さえブラシ２４がチョッパーブレード１２の左右にそれぞれ３個設けられている場合を示す。尚、矢印２８は折丁の搬送方向を示す。
【０００９】
しかしながら、折丁押さえブラシを用いる方法ではブレーキ力（減速力）が強く折丁が歪んでしまい、一方スチールガイド用いる方法では用紙の進入は安定するがブレーキ力が弱く、そのため折丁が紙当てに強く当たりすぎて破れや、跳ね返ってしまうといった問題があった。
【００１０】
前記折丁を正しく紙当てに当てることが困難な理由は、上記のように折機の紙当て１７に折丁を減速させて当てるが、印刷時の紙継ぎ時には、静電気の発生量が変化したり、用紙の搬送速度が変化するために、折丁の歪みと破れの両方が発生しないように減速のかけ具合を調整する場合の調整幅が少ないことが挙げられる。
【００１１】
そこで本発明は係る問題点に鑑みて、折丁の歪みや破れの発生のないチョッパー折装置を提供することを目的とする。
【課題を解決するための手段】
【００１２】
本発明の請求項１に記載の発明は、
巻紙輪転印刷機に連結された折機または単独の折機に設けられたチョッパー折装置であって、
紙当てと、チョッパーブレードと、折丁減速手段と、を備え、
紙当ては搬送された折丁の先端部を当てて折丁を停止させてその位置を規制するもので
チョッパーブレードは搬送が停止された折丁を搬送方向と平行に折丁を折るもので、
折丁減速手段は、折丁押さえブラシとスチールガイドで構成され、前記紙当てに折丁を当てる際に搬送中の折丁に接触して折丁を減速するもので、
チョッパーブレードを中心として、折丁の搬送方向と直交する方向に前記折丁押さえブラシ、スチールガイドが備えられたことを特徴とするチョッパー折装置である。
【００１３】
本発明の請求項２に記載の発明は、
前記チョッパーブレードを中心として、前記折丁押さえブラシ、前記スチールガイドがこの順に配列されたことを特徴とする請求項１に記載のチョッパー折装置である。
【００１４】
本発明の請求項３に記載の発明は、
前記折丁押さえブラシは、上下方向に昇降する機構を備えたことを特徴とする請求項１又は２に記載のチョッパー折装置である。
【００１５】
本発明の請求項４に記載の発明は、
前記折丁押さえブラシは、水平方向に移動する機構を備えたことを特徴とする請求項１から３のいずれかに記載のチョッパー折装置である。
【００１６】
本発明の請求項５に記載の発明は、
前記スチールガイドは、上下方向に昇降する機構を備えたことを特徴とする請求項１から４のいずれかに記載のチョッパー折装置である。
【００１７】
本発明の請求項５に記載の発明は、
前記スチールガイドは、水平方向に移動する機構を備えたことを特徴とする請求項１から５のいずれかに記載のチョッパー折装置である。
【発明の効果】
【００１８】
本発明の請求項１に記載のチョッパー折装置によれば、折丁押さえブラシとスチールガイドによって搬送速度が減速され、更に折丁の搬送方向と直交する方向にチョッパーブレードを中心として、折丁押さえブラシ、スチールガイドが設けられているため、減速効果が得られ、またスチールガイドによって折丁を容易に進入することが出来る。その結果、折丁の歪みや破れの発生を防止することが可能となる。
【００１９】
本発明の請求項２に記載のチョッパー折装置によれば、折丁の搬送方向と直交する方向にチョッパーブレードを中心として、折丁押さえブラシ、スチールガイドがこの順に設けられているため、最も折丁が膨らむ中央部を折丁押さえブラシによって押さえることによって減速効果が得られ、またブラシの外側に設けられたスチールガイドによって折丁を容易に進入することが出来る。その結果、折丁の歪みや破れの発生を防止することが可能となる。
【００２０】
本発明の請求項３に記載のチョッパー折装置によれば、折丁押さえブラシは、上下方向に昇降する機構を備えたことによって、紙質が変わった場合でも折丁の押さえ具合を調整することが可能となる。
【００２１】
本発明の請求項４に記載のチョッパー折装置によれば、折丁押さえブラシは、水平方向に移動する機構を備えたことによって折丁が膨らむ部分に応じて水平位置を調整することが出来る。
【００２２】
本発明の請求項５に記載のチョッパー折装置によれば、スチールガイドは、上下方向に昇降する機構を備えたことによって、紙質が変わった場合でも折丁を容易に進入することが出来るように高さ調整することが可能となる。
【００２３】
本発明の請求項６に記載のチョッパー折装置によれば、スチールガイドは、水平方向に移動する機構を備えたことによって紙質が変わった場合でも折丁を容易に進入することが出来るように水平位置調整することが可能となる。
【図面の簡単な説明】
【００２４】
【図１】折機の一例を示す構成図。
【図２】従来のチョッパー折装置の構成を示す斜視図。
【図３】従来のチョッパー折装置の側面図。
【図４】従来の折丁押さえブラシを用いたチョッパー折装置を示す上面図。
【図５】本発明のチョッパー折装置が適用される折機の一例を示す図。
【図６】本発明のチョッパー折装置の構成を示す図。
【図７】本発明に係る折丁減速手段の上面図を示す図。
【図８】図７とは別の本発明のチョッパー折装置の構成を示す図。
【図９】本発明に係る折丁押さえブラシを２個、スチールガイドを２個設けた場合を示す図。
【発明を実施するための形態】
【００２５】
本発明のチョッパー折装置の実施形態を図を用いて説明する。
【００２６】
図５は本発明のチョッパー折装置が適用される折機の一例を示す図で、従来用いられている折機を用いることが出来る。図５に示す折機は、巻紙（ウエブ）１を幅方向に半折りするフォーマー２と、これを規定寸法にカットする断裁胴３と、断裁胴３で所定寸法に断裁された折丁を折り胴４と咥胴５の間で折り、咥胴５で咥えられた折丁を一回転する前に該咥胴から離れ、折丁搬送ベルト１１で上下を挟んで水平方向に進め、チョッパー折装置３０へ運ぶ。
【００２７】
図６は本発明のチョッパー折装置３０の構成を示す図である。本発明のチョッパー折装置３０は、紙当て３７と、チョッパーブレード３２と、折丁減速手段３３と、を備えている。紙当て３７は連続走行する複数条の折丁搬送ベルト１１によって搬送された折丁の先端部を当てて搬送を停止するものである。チョッパーブレード３２は搬送停止された折丁を搬送方向と平行に折丁を折るものである。折丁減速手段３３は、図示しない折丁押さえブラシとスチールガイドで構成され、前記紙当て３７に折丁を当てる際に搬送中の折丁に接触して折丁を減速するものである。
【００２８】
図７は折丁減速手段３３の上面図を示す。折丁減速手段３３は、折丁押さえブラシ３４とスチールガイド３５で構成されており、前記紙当て３７に折丁を当てる際に搬送ベルト１１によって矢印３８で示す方向に搬送中の折丁に接触して折丁を減速するものである。
【００２９】
前記折丁押さえブラシ３４及びスチールガイド３５がチョッパーブレード３２を中心として、折丁の搬送方向３８と直交する方向にこの順に備えられている。このようにして、最も折丁が膨らむ中央部を折丁押さえブラシ３４によって押さえることが出来、その結果減速効果が得られ、また折丁押さえブラシ３４の外側に設けられたスチールガイド３５によって折丁を容易に進入することが出来る。その結果、折丁の歪みや破れの発生を防止することが可能となる。
【００３０】
尚、図７では折丁押さえブラシ３４を２個、スチールガイド３５を４個設けた例を示しているが、これに限定されず例えば図８に示すように折丁押さえブラシ３４を４個、スチールガイド３５を２個設けても良く、それぞれの数は適宜選択すれば良い。例えば、図９は前記折丁押さえブラシ３４を２個、スチールガイド３５を２個設けた場合を示す図である。
【００３１】
前記折丁押さえブラシ３４は、図示しない上下方向に昇降する機構及び水平方向に移動する機構を備えており、紙質が変わった場合でも上下方向に昇降する機構によって折丁の押さえ具合を調整することが可能となり、また折丁が膨らむ部分に応じて水平方向に移動する機構によって水平位置を調整することが出来る。
【００３２】
また、前記スチールガイドは、図示しない上下方向に昇降する機構及び水平方向に移動する機構を備えており、紙質が変わった場合でも折丁を容易に進入することが出来るように高さ調整と水平位置調整を行うことが出来る。
【００３３】
以上のように、本発明によるチョッパー折装置によれば折丁の減速のかけ具合を調整する場合の調整幅が大きく取れ、折丁の歪みや破れの発生を防止することが出来る。
【符号の説明】
【００３４】
１・・・巻紙（ウエブ）
２・・・フォーマー
３・・・断裁胴
４・・・折り胴
５・・・咥胴
１０・・・チョッパー折装置
１１・・・折丁搬送ベルト
１２・・・チョッパーブレード
１３・・・ニップローラ
１５・・・羽根車
１６・・・プレート
１７・・・紙当て
１８・・・チョッパー揺動軸
１９・・・チョッパーアーム
２０・・・ブレード降下近辺に設けられた開口部
２１・・・上部ニップローラ
２２・・・下部ニップローラ
２４・・・折丁押さえブラシ
２５・・・排出コンベア
２７・・・折丁が押し出される方向
２８・・・折丁の搬送方向
３０・・・本発明のチョッパー折装置
３２・・・チョッパーブレード
３３・・・折丁減速手段
３４・・・折丁押さえブラシ
３５・・・スチールガイド
３７・・・紙当て
３８・・・折丁の搬送方向
１００・・・図２を見る方向
【図１】
2015131723.tif 000003
【図２】
2015131723.tif 000004
【図３】
2015131723.tif 000005
【図４】
2015131723.tif 000006
【図５】
2015131723.tif 000007
【図６】
2015131723.tif 000008
【図７】
2015131723.tif 000009
【図８】
2015131723.tif 000010
【図９】
2015131723.tif 000011